(57)【要約】  乾燥粉末吸入器２は、マウスピース１０を有するハウジング６、８と、このハウジング６、８に移動可能に取り付けられたカバー１１、１２とを備えている。カバー１１、１２は、吸入器２を使用するためにマウスピース１０が吸入器２の外に露出される開かれた形態と、マウスピース１０が吸入器２の内部に収容される閉じられた形態との間を変化することができる。開かれた形態においては、カバー１１、１２は、吸入器２を通り抜けるとともにマウスピース１０と連通する吸入空気流路への入口孔７１を少なくとも部分的に形成する。入口孔７１は、吸入器２の使用時にユーザが入口孔７１を遮蔽するのを困難にするように配設されている。吸入器２の保管時における閉じられた形態においては、マウスピース１０は入口孔７１内に収容され保護される。
2013532505.tif 000002
【特許請求の範囲】
【請求項１】
マウスピースを有する一方、薬剤を収容するハウジングと、
分配システムと、
前記ハウジングに移動可能に取り付けられたカバーとを備えている吸入器であって、
前記カバーは、該吸入器を使用するために前記マウスピースが該吸入器外に露出される開かれた形態と、前記マウスピースが該吸入器内に収容される閉じられた形態との間を変化することができ、
前記の開かれた形態においては、前記カバーは、該吸入器を通り抜けるとともに前記マウスピースと連通する吸入空気流路への入口孔を少なくとも部分的に形成し、
前記の閉じられた形態においては、前記マウスピースは、前記入口孔内に収容されることを特徴とする吸入器。
【請求項２】
前記カバーが前記の開かれた形態にあるときには、前記入口孔が、前記ハウジングと前記カバーとの間に形成されることを特徴とする、請求項１に記載の吸入器。
【請求項３】
前記の閉じられた形態においては、前記入口孔が閉じられることを特徴とする、請求項１または２に記載の吸入器。
【請求項４】
前記の開かれた形態においては、前記入口孔が、前記マウスピースと隣り合って位置することを特徴とする、請求項１〜３のいずれか１つに記載の吸入器。
【請求項５】
背向する複数の主表面を備えた全体的に平坦な形状を有することを特徴とする、請求項１〜４のいずれか１つに記載の吸入器。
【請求項６】
前記の開かれた形態においては、前記マウスピースが前記主表面間から突出することを特徴とする、請求項５に記載の吸入器。
【請求項７】
前記入口孔が、前記主表面間において前記カバーの縁部に配置されていることを特徴とする、請求項５または６に記載の吸入器。
【請求項８】
前記の閉じられた形態においては、前記主表面が、全面的に前記カバーよって構成されることを特徴とする、請求項５〜７のいずれか１つに記載の吸入器。
【請求項９】
前記ハウジングが全体的にはディスクの形状を有し、前記マウスピースが前記ディスクの縁部から突出することを特徴とする、請求項１〜８のいずれか１つに記載の吸入器。
【請求項１０】
前記ハウジングが前記ディスクから突出するハンドル部を有し、これによりユーザが前記ハウジングを、前記カバーに対して移動させて、該吸入器の前記開かれた形態と前記閉じられた形態の間で変化させることを特徴とする、請求項９に記載の吸入器。
【請求項１１】
前記カバーが、前記ハウジングにピボット回転可能に取り付けられていることを特徴とする、請求項１〜１０のいずれか１つに記載の吸入器。
【請求項１２】
前記ハウジング内に少なくとも１つの表示孔が形成され、前記表示孔を通して前記ハウジング内の１つまたは複数の印をみることができることを特徴とする、請求項１〜１１のいずれか１つに記載の吸入器。
【請求項１３】
前記カバーが少なくとも１つの表示窓を形成し、前記表示窓は、前記の開かれた形態および閉じられた形態の一方または両方において、前記少なくとも１つの表示孔と一列に並び、これにより前記印をみることができることを特徴とする、請求項１２に記載の吸入器。
【請求項１４】
前記印が複数設けられ、前記カバーの前記表示窓のうちの１つが、それぞれ、該吸入器の前記の開かれた形態および閉じられた形態において前記表示孔のうちの個々の異なるものと一列に並び、これにより前記の開かれた形態および閉じられた形態において、それぞれ前記印のうちの個々のものをみることができることを特徴とする、請求項１３に記載の吸入器。
【請求項１５】
前記ハウジングが全体的にはディスクの形状を有し、前記表示孔のうちの最初の表示孔が前記ディスクの主表面に形成され、透明な膜が前記最初の表示孔の上を覆って広がり、前記主表面に結合されていることを特徴とする、請求項１２〜１４のいずれか１つに記載の吸入器。
【請求項１６】
前記ディスクの前記主表面が、前記表示孔に加えて、該主表面に形成された少なくとも１つの追加の孔を有し、前記少なくとも１つの追加の孔は、前記膜によって被覆されていることを特徴とする、請求項１５に記載の吸入器。
【発明の詳細な説明】
【技術分野】
【０００１】
本発明は吸入器に関するものであり、とくに、マウスピース（またはノーズピース）を有するとともに、吸入器が保管されている（stored）ときには、マウスピースを吸入器内に収容して（enclose）保護する一方、吸入器の使用時にはマウスピースを外部に露出させるように動作するカバーを有する吸入器に関するものである。
【背景技術】
【０００２】
市場には、種々の形式の吸入器が存在する。加圧型の計量式吸入器（ｐＭＤＩ）は、１回服用分のエアロゾルの形態の物質を放出する。粉末吸入器は、一般に、空気の流れに随伴する１回服用分の粉末物質を放出する。粉末吸入器においては、粉末は、該粉末吸入器の全体容器（bulk container）に供給され、この全体容器から１回服用分の粉末が計量されて分配される。このような全体容器に代えて、粉末吸入器は、１回服用分または複数回服用分の粉末物質を収容する単一または複数の薬剤室を備えていてもよい。このような薬剤室は、例えば、ブリスタパック（blister pack）内のシールされたブリスタ（blister）の形態のもの、シールされた空洞内の可撓性を有する細長片（flexible strip）の形態のもの、またはその他の適切な形態のものである。
【０００３】
一般に、吸入器の型式がどのようなものであっても、その空気入口部は、ユーザがマウスピース（場合によってはノーズピース）を介して薬剤を吸入するときには、空気が空気入口部を通り、さらに吸入器内を通ってユーザに導入されることができるものであることが要求される。乾燥粉末吸入器については、空気の流路は、吸入器を流通する空気が乾燥粉末薬剤を凝集させることなく空気に随伴するように慎重に設定される。しかし、一般に、加圧型の計量式吸入器についてもまた、薬剤と同時に空気の流れがユーザの肺に導入されられることを可能にするものであることが要求され、さらに空気が吸入器内に導入された後、薬剤とともにマウスピースから放出されるものであることが要求される。
【先行技術文献】
【特許文献】
【０００４】
【特許文献１】米国特許第５５９０６４５号明細書
【発明の概要】
【発明が解決しようとする課題】
【０００５】
かかる吸入器において、ユーザが、吸入器を使用しながら不注意にも空気入口部を手で覆った場合は、問題が生じる。すなわち、何か不具合が生じているということがユーザにとっては明らかでない状態で、ユーザへの空気の流れが減少し、１回服用分の薬剤の供給に悪影響がでるといった問題が生じる。それゆえ、吸入器の空気入口部は、ユーザが吸入器を使用するときにユーザが吸入器の動作を妨げることが困難であるような態様で配置することが望ましい。
【０００６】
吸入器が使用されていないときには、その空気流路が異物（例えば、吸入器を収容しているポケット内のごみ）で汚染されるのを防止するために、マウスピースとともに空気入口部を被覆するのが望ましい。このような異物の不本意な吸入は回避すべきである。
【０００７】
吸入器のマウスピースは、ユーザがその口とマウスピースの周囲との間に良好なシールを形成することを可能にするために、十分な長さをもたせるのが望ましい。また、吸入器は、ユーザにとって美観に優れたものであるのが好ましいが、これは、ときにはマウスピースを長くするといった目的と調和しない。
【０００８】
大気中から、空気入口部とマウスピースとの間の主流路に至る追加の空気流路を設けることは回避するのが好ましい。１つまたは複数のバイパス空気流路を設けてもよい。この場合は、バイパス空気流路の流動特性が慎重に設定され、かつ吸入器の使用時におけるバイパス空気流路の全体的な圧力降下及び流速に対する影響が慎重に考慮される。しかしながら、例えば、互いに不整合な複数の部品、成形工程の過程で形成される孔、１回服用分の計数値（dose count）を表示するための吸入器ケーシングの窓などを介してのいわゆる漏れ流れ（leakage flow）を回避するのが望ましい。
【０００９】
特許文献１（グラクソ：Glaxo）には、１つの仕様の乾燥粉末吸入器が開示されている。この乾燥粉末吸入器は全体的にはディスクの形状を有し、そのマウスピースはディスクの縁部に設けられている。吸入器にはディスクの中心軸のまわりにピボット回転可能なカバーが設けられている。このカバーは、全体的には、吸入器（装置）の全体的な輪郭形状に整合し、一般的には吸入器（装置）の全体的な美観を向上させる。空気入口部は、ディスクの主面の一方に配置されている。これは、ディスクス（Diskus、グラクソ・スミス・クライン社（GlaxoSmithKline plc）の登録商標）として知られている、本願に対応する製品をみれば明らかである。特許文献１の図１３〜図１６は、空気入口部の位置を明確に示している訳ではないが、市販されている製品に最も近い実施の形態を示している。しかしながら、特許文献１の図４ａおよび図１１に記載された空気の流れを示す図から、空気入口部の位置を推測することができる。ユーザは、吸入器をその使用のために保持しているときに、この空気入口部を遮蔽し、または部分的に遮蔽する可能性がある。この吸入器のマウスピースは（市販されている製品および特許文献１の図１３〜図１６参照）、比較的短く、かつ吸入器の縁部の形状に対して凹状となっている。これは、カバーが、吸入器（装置）の全体的な形状に実質的に整合することを可能にする。
【００１０】
本発明の目的は、従来の吸入器における前記の不具合を解消することである。前記の目的、あるいは以下の説明により明らかとなるその他の目的は、添付の特許請求の範囲に記載された吸入器および方法により実現される。
【課題を解決するための手段】
【００１１】
本発明に係る吸入器は、下記の特徴を備えている。
−  マウスピース（mouthpiece）を有するハウジング（housing）を備えている。
−  吸入器を使用するためにマウスピースが吸入器外に露出される開かれた形態（open configuration）と、マウスピースが吸入器内に収容される閉じられた形態（closed configuration）との間を変化または移動することができるような態様でハウジングに移動可能に取り付けられたカバー（cover）を備えている。
−  開かれた形態においては、カバーは、吸入器を通り抜ける（leading through）とともにマウスピースと連通する（communicate）吸入空気流路（inhalation air flow path）への入口孔（inlet aperture）を少なくとも部分的に形成し、閉じられた形態においては、マウスピースは、入口孔内に収容される。
【００１２】
本発明の１つの代替的な実施態様においては、吸入器は、下記の特徴を備えている。
−  マウスピースを有するハウジングを備えている。
−  吸入器を使用するためにマウスピースが吸入器外に露出される開かれた形態と、マウスピースが吸入器内に収容される閉じられた形態との間を変化または移動することができるような態様でハウジングに移動可能に取り付けられたカバーを備えている。
−  開かれた形態においては、カバーは、吸入器を通り抜けるとともにマウスピースと連通する吸入空気流路への入口孔（inlet aperture）を少なくとも部分的に形成している。
【００１３】
本発明の１つの実施態様においては、カバーが開かれた形態にあるときには、入口孔が、ハウジングとカバーとの間に形成される。閉じられた形態においては、入口孔が閉じられるようにしてもよい。開かれた形態においては、入口孔が、マウスピースと隣り合って位置するようにしてもよい。
【００１４】
吸入器は、背向する複数の主表面（major external surface）を備えた全体的に平坦な形状を有するようにしてもよい。マウスピースは、開かれた形態においては、主表面（major surface）間に配置されるようにしてもよい。
【００１５】
主表面は、少なくとも閉じられた形態においては、全面的にカバーにより形成され（provided）、または実質的に全面的に、例えば主表面の少なくとも９０％、好ましくは主表面の少なくとも９５％が、カバーにより形成される（provided）ようにしてもよい。
【００１６】
ハウジングが全体的にはディスクの形状（overall disc shape）を有するようにし、マウスピースがディスクの縁部（edge）から突出する（project）とともにディスクの外形（overall disc profile）を超えて（beyond the overall disc profile）伸びるようにしてもよい。ハウジングが、ディスクから突出するとともに、ディスクの外形を超えて伸びるさらなる部分（further portion）を有するようにしてもよい。このさらなる部分は、とくに、ユーザがハウジングをカバーに対して移動させるハンドル（handle）として機能し、これにより吸入器が開かれた形態と閉じられた形態との間を変化または移動するように構成してもよい。このカバーは、ハウジングにピボット回転可能に（pivotally）取り付けるようにしてもよい。
【００１７】
ハウジングの内部に、例えば、乾燥粉末またはブリスタ細長片（blister strip）が充填された乾燥粉末容器または一連の空洞部を配置してもよい。これとともに、ハウジングの内部に、吸入のための粉末を計量し、空洞部またはブリスタを開き、粉末収容空洞部のディスクまたは細長片を間欠回転させ、あるいはその他の用途のための種々の機構を配置してもよい。これらの機構を取り付けるために種々の構造が必要とされるが、これらはハウジングを構成する２部品構成の成形品（two-part moulding）の一方のものまたは他方のものと一体的に成形するのが好ましい。このような取り付け物（例えば、スナップ式接続突起部（snap fitting projections）等）を伴ったハウジングの製作においては、成形工程の実施時に、ハウジングに１つまたは複数の穴（holes）を形成することになる。これらは、いずれも、技術的に望ましくない。なぜなら、これらの穴は、吸入器を通り抜ける１つまたは複数の空気流路に、望ましくない漏れ経路（leakage path）を形成し、またこれらの穴が被覆されていない場合は、吸入器の美観を損なうからである。
【００１８】
本発明に係るカバーは、ハウジング内に形成されたこのような成形による穴を覆ってこれらを外からみえなくする。これらの穴をシールし、該穴を経由して空気が流路に漏れるのを防止するために、ハウジングの一方または両方の主表面に、自動接着性のフィルムを設けてもよい。
【００１９】
吸入器には、ある１回服用分の薬剤の番号、または残っている１回服用分の薬剤の数もしくは番号を示し、１回服用分の薬剤の吸入の準備ができたか否かを示し、あるいはその他の表示を示す表示または表示器（display）を設けるのが望ましい。このような表示器は、通常、吸入のための複数の１回服用分の薬剤の供給に関連付けられた機構を収容しているハウジングの覗き穴（viewing aperture）を通してみることができる。一般に、吸入器の汚染（contamination）を回避するとともに空気の漏れを阻止するために、このような覗き穴を覆う透明なカバーを設けるのが望ましい。このようなカバーは、従来は、透明なプラスチック材料からなる別体の成形品（separate moulding）の形態をとっている。ハウジングが前記のように設けられたフィルムを有する場合、このフィルムは、表示穴（display aperture）の上に透明な状態で広がり、表示穴をシールするとともに、表示器をみることを可能にする。カバーが１つまたは複数の表示穴の上に広がっている場合、このカバーに、ユーザが１つまたは複数の表示器をみることができるように、１つまたは複数の外側表示穴を設けてもよい。
【００２０】
米国特許出願第６１／０２２８５４号（国際公開第２００９／０９３９６９がこれの優先権を主張している）は、吸入器に交互表示器（alternating display）を設けることについて説明を行っている。閉じられた形態においては、１回服用量計数値表示器（dose count display）をみることができる。開かれた形態においては、マウスピースが１回服用分の薬剤の計数表示器の上に移動させられるが、このとき吸入のための１回服用分の薬剤の準備ができたこと（またはできていないこと）を示す表示器（display）が露出させられる。カバーが再び閉じられたときに、１回服用量計数値表示器が露出させられ、準備ができたことを示す表示器が再び隠される。この特徴は、別の方法でも理解することはできるが、本発明の実施の形態として本明細書に組み入れられている。ハウジングは、１回服用量計数値表示窓（dose counter display window）と準備状態表示窓（readiness display window）とを有していてもよい。カバーには、開かれた形態においては、ハウジングの準備状態表示窓と一列に並ぶ（in regitry with）一方、閉じられた形態においては、ハウジングの１回服用量計数値表示窓と一列に並ぶ（in regitry with）第２の表示窓（display window）が設けられている。
【００２１】
１つの実施態様においては、吸入器は、マウスピースとハウジングとを備えている。ハウジング内には、乾燥薬剤粉末容器、一連の空洞部または乾燥薬剤粉末を保持しているブリスタ（blisters）が配置されている。また、ハウジングは、空気入口部と、ハウジング内に配置された１つまたは複数の印（indicia）を表示するための少なくとも１つの表示窓（穴）とを備えている。ここで、ハウジング、好ましくはハウジングの外壁にシール膜（seal membrane）が接着させられている。このシール膜は表示窓の上で広がり、窓と一列に並んでいるシール膜の少なくとも一部は透明である。
【００２２】
シール膜は、ポリエチレンなどといった適切な高分子材料で作成するのが好ましく、また自動接着性（self adhesive）のものであるのが好ましい。すなわち、接着剤層とは別に製造され、吸入器へのシールの組み付け（assembly）は、自動接着性のシール膜を単純にハウジングに取り付ける（apply）だけですむようにするのが好ましい。
【００２３】
ハウジングは、１つまたは複数のさらなる孔、例えばハウジングの成形品（moulding）に接続された孔を有していてもよい。この孔は、完成した吸入器においては、シール膜によってシールされ、何ら機能を有しない。
【００２４】
吸入器はまた、ハウジングに取り付けられた外側カバー（external cover）を備えていてもよい。この外側カバーは、吸入器を使用するためにマウスピースが吸入器外に露出される吸入器の開かれた形態と、マウスピースが吸入器内に収容される吸入器の閉じられた形態との間を変化または移動することができるようにしてもよい。このカバーは、吸入器が閉じられた形態または開かれた形態のいずれかにあるときに、ハウジングの前記の少なくとも１つの表示窓のうちの１つまたは複数のものと一列に並ぶように配置された１つまたは複数の外側表示窓を有するようにしてもよい。外側表示窓は、吸入器が開かれた形態にあるかまたは閉じられた形態にあるかに応じて、ハウジング内の異なる表示窓と一列に並ぶように配置してもよい。
【００２５】
吸入器内の乾燥粉末の薬剤は、種々の活性薬剤（active ingredients）を含むことができる。活性薬剤は、後記の治療用または診断用の薬剤（therapeutic or diagnostic agent）から選択することができる。
例えば、活性成分は抗アレルギー剤、気管支拡張剤(例えばベータ２−アドレナリン受容体アゴニストまたはムスカリンアンタゴニスト)、気管支収縮剤、肺胞界面活性物質(pulmonary lung surfactant)、鎮痛剤、抗生物質、肥満細胞阻害剤、抗ヒスタミン、抗炎症剤、抗新生物、麻酔、抗結核、造影剤、心血管剤、酵素、ステロイド、遺伝子材料、ウィルスベクター、アンチセンス剤、タンパク質、ペプチド、非ステロイド性グルココルチコイド受容体(ＧＲ受容体)アゴニスト、抗酸化剤、ケモカインアンタゴニスト(例えばＣＣＲ１アンタゴニスト)、コルチコステロイド、ＣＲＴｈ２アンタゴニスト、ＤＰ１アンタゴニスト、ヒストンデアセチラーゼインデューサー、ＩＫＫ２阻害剤、ＣＯＸ阻害剤、リポオキシゲナーゼ阻害剤、ロイコトリエン受容体アンタゴニスト、ＭＰＯ阻害剤、ｐ３８阻害剤、ＰＤＥ阻害剤、ＰＰＡＲγアゴニスト、プロテアーゼ阻害剤、スタチン、トロンボキサンアンタゴニスト、血管拡張剤、ＥＮＡＣブロッカー(上皮性ナトリウムチャネルブロッカー)およびそれらの組み合わせであり得る。
【００２６】
吸入器に取り込むことができる特定の活性成分は次のものを含む：
(ｉ)  抗酸化剤：−アロプリノール、エルドステイン、マンニトール、Ｎ−アセチルシステインコリンエステル、Ｎ−アセチルシステインエチルエステル、Ｎ−アセチルシステイン、Ｎ−アセチルシステインアミドおよびナイアシン；
(ii)  ケモカインアンタゴニスト：−BX471((２Ｒ)−１−[[２−[(アミノカルボニル)アミノ]−４−クロロフェノキシ]アセチル]−４−[(４−フルオロフェニル)メチル]−２−メチルピペラジンモノヒドロクロライド)、CCX634、Ｎ−{２−[((２Ｓ)−３−{[１−(４−クロロベンジル)ピペリジン−４−イル]アミノ}−２−ヒドロキシ−２−メチルプロピル)オキシ]−４−ヒドロキシフェニル}アセトアミド(WO2003/051839参照)、および２−{２−クロロ−５−{[(２Ｓ)−３−(５−クロロ−１’Ｈ,３Ｈ−スピロ[１−ベンゾフラン−２,４’−ピペリジン]−１’−イル)−２−ヒドロキシプロピル]オキシ}−４−[(メチルアミノ)カルボニル]フェノキシ}−２−メチルプロパン酸(WO2008/010765参照)、656933(Ｎ−(２−ブロモフェニル)−Ｎ’−(４−シアノ−１Ｈ−１,２,３−ベンゾトリアゾール−７−イル)ウレア)、766994(４−({[({[(２Ｒ)−４−(３,４−ジクロロベンジル)モルホリン−２−イル]メチル}アミノ)カルボニル]−アミノ}メチル)ベンズアミド)、CCX-282、CCX-915、シアノビリンＮ、E-921、INCB-003284、INCB-9471、マラビロク、MLN-3701、MLN-3897、T-487(Ｎ−{１−[３−(４−エトキシフェニル)−４−オキソ−３,４−ジヒドロピリド[２,３−ｄ]ピリミジン−２−イル]エチル}−Ｎ−(ピリジン−３−イルメチル)−２−[４−(トリフルオロメトキシ)フェニル]アセトアミド)およびビクリビロック；
(iii)  コルチコステロイド：−二プロピオン酸アルクロメタゾン(alclometasone)、アメロメタゾン、二プロピオン酸ベクロメタゾン、ブデソニド、プロピオン酸ブチキソコート、シクレソニド、プロピオン酸クロベタゾール、デスイソブチリルシクレソニド、エチプレドノールジクロアセタート、フルオシノロンアセトニド、フロ酸フルチカゾン、プロピオン酸フルチカゾン、エタボン酸ロテプレドノール(局所)およびフロ酸モメタゾン；
(iv)  ＤＰ１アンタゴニスト：−L888839およびMK0525；
(ｖ)  ヒストンデアセチラーゼインデューサー：−ADC4022、アミノフィリン、メチルキサンチンまたはテオフィリン；
(vi)  ＩＫＫ２阻害剤：−２−{[２−(２−メチルアミノ−ピリミジン−４−イル)−１Ｈ−インドール−５−カルボニル]−アミノ}−３−(フェニル−ピリジン−２−イル−アミノ)−プロピオン酸；
(vii)  ＣＯＸ阻害剤：−セレコキシブ、ジクロフェナクナトリウム、エトドラク、イブプロフェン、インドメタシン、メロキシカム、ニメスリド、OC1768、OC2125、OC2184、OC499、OCD9101、パレコキシブナトリウム、ピシアタンノール、ピロキシカム、ロフェコキシブおよびバルデコキシブ；
(viii)  リポオキシゲナーゼ阻害剤：−アジュレミン酸、ダルブフェロン、メシル酸ダルブフェロン、デクスイブプロフェンリシン(一水和物)、エタロシブナトリウム、リコフェロン、リナゾラスト、ロナパレン、マソプロコール、MN-001、テポキサリン、UCB-35440、リフラポン、ZD-2138、ZD-4007およびジロートン((±)−１−(１−ベンゾ[ｂ]チエン−２−イルエチル)−１−ヒドロキシウレア)；
(ix)  ロイコトリエン受容体アンタゴニスト：−アブルカスト(ablukast)、イラルカスト(CGP 45715A)、モンテルカスト、モンテルカストナトリウム、オンタゾラスト、プランルカスト、プランルカスト水和物(一Ｎａ塩)、ベルルカスト(verlukast)(ＭＫ−６７９)およびザフィルカスト；
(ｘ)  ＭＰＯ阻害剤：−ヒドロキサム酸誘導体(Ｎ−(４−クロロ−２−メチル−フェニル)−４−フェニル−４−[[(４−プロパン−２−イルフェニル)スルホニルアミノ]メチル]ピペリジン−１−カルボキサミド)、ピシアタンノールおよびレスベラトロール；
(xi)  ベータ２−アドレナリン受容体アゴニスト：−メタプロテレノール、イソプロテレノール、イソプレナリン、アルブテロール、サルブタモール(例えば硫酸塩として)、フォルモテロール(例えばフマル酸塩として)、サルメテロール(例えばキシナホ酸塩として)、テルブタリン、オルシプレナリン、ビトルテロール(例えばメシル酸塩として)、ピルブテロール、インダカテロール、サルメテロール(例えばキシナホ酸塩として)、バンブテロール(例えば塩酸塩として)、カルモテロール、インダカテロール(CAS no 312753-06-3; QAB-149)、ホルムアニリド誘導体、例えば３−(４−{[６−({(２Ｒ)−２−[３−(ホルミルアミノ)−４−ヒドロキシフェニル]−２−ヒドロキシエチル}アミノ)ヘキシル]オキシ}−ブチル)−ベンゼンスルホンアミド；３−(４−{[６−({(２Ｒ)−２−ヒドロキシ−２−[４−ヒドロキシ−３−(ヒドロキシ−メチル)フェニル]エチル}アミノ)−ヘキシル]オキシ}ブチル)ベンゼンスルホンアミド；GSK 159797、GSK 159802、GSK 597901、GSK 642444、GSK 678007；およびＮ−[２−(ジエチルアミノ)エチル]−Ｎ−(２−{[２−(４−ヒドロキシ−２−オキソ−２,３−ジヒドロ−１,３−ベンゾチアゾール−７−イル)エチル]アミノ}エチル)−３−[２−(１−ナフチル)エトキシ]プロパンアミド、Ｎ−[２−(ジエチルアミノ)エチル]−Ｎ−(２−{[２−(４−ヒドロキシ−２−オキソ−２,３−ジヒドロ−１,３−ベンゾチアゾール−７−イル)エチル]アミノ}エチル)−３−[２−(３−クロロフェニル)エトキシ]プロパンアミド、７−[(１Ｒ)−２−({２−[(３−{[２−(２−クロロフェニル)エチル]アミノ}プロピル)チオ]エチル}アミノ)−１−ヒドロキシエチル]−４−ヒドロキシ−１,３−ベンゾチアゾール−２(３Ｈ)−オン、およびＮ−シクロヘキシル−Ｎ３−[２−(３−フルオロフェニル)エチル]−Ｎ−(２−{[２−(４−ヒドロキシ−２−オキソ−２,３−ジヒドロ−１,３−ベンゾチアゾール−７−イル)エチル]アミノ}エチル)−β−アラニンアミドから選択される化合物またはその薬学的に許容される塩(例えばカウンターイオンがヒドロクロライド(例えばモノヒドロクロライドまたはジヒドロクロライド)、ヒドロブロマイド(例えばモノヒドロブロマイドまたはジヒドロブロマイド)、フマレート、メタンスルホネート、エタンスルホネート、ベンゼンスルホネート、２,５−ジクロロベンゼンスルホネート、ｐ−トルエンスルホネート、ナパジシレート(ナフタレン−１,５−ジスルホネートまたはナフタレン−１−(スルホン酸)−５−スルホネート)、エジシレート(エタン−１,２−ジスルホネートまたはエタン−１−(スルホン酸)−２−スルホネート)、Ｄ−マンデラート、Ｌ−マンデラート、シンナメートまたはベンゾエートであるもの)
(xii)  ムスカリンアンタゴニスト：−臭化アクリジニウム、グリコピロレート(例えばＲ,Ｒ−、Ｒ,Ｓ−、Ｓ,Ｒ−、またはＳ,Ｓ−グリコピロニウムブロマイド)、オキシトロピウムブロマイド、ピレンゼピン、テレンゼピン、チオトロピウムブロマイド、３(Ｒ)−１−フェネチル−３−(９Ｈ−キサンテン−９−カルボニルオキシ)−１−アゾニアビシクロ[２.２.２]オクタンブロマイド、(３Ｒ)−３−[(２Ｓ)−２−シクロペンチル−２−ヒドロキシ−２−チエン−２−イルアセトキシ]−１−(２−フェノキシエチル)−１−アゾニアビシクロ[２.２.２]オクタン(actane)ブロマイド、４級塩(例えば[２−((Ｒ)−シクロヘキシル−ヒドロキシ−フェニル−メチル)−オキサゾール−５−イルメチル]−ジメチル−(３−フェノキシ−プロピル)−アンモニウム塩、[２−(４−クロロ−ベンジルオキシ)−エチル]−[２−((Ｒ)−シクロヘキシル−ヒドロキシ−フェニル−メチル)−オキサゾール−５−イルメチル]−ジメチル−アンモニウム塩および(Ｒ)−１−[２−(４−フルオロ−フェニル)−エチル]−３−((Ｓ)−２−フェニル−２−ピペリジン−１−イル−プロピオニルオキシ)−１−アゾニア−ビシクロ[２.２.２]オクタン塩であって、カウンターイオンが、例えば、クロライド、ブロマイド、スルフェート、メタンスルホネート、ベンゼンスルホネート(ベシレート)、トルエンスルホネート(トシレート)、ナフタレンビススルホネート(ナパジシレートまたはヘミ−ナパジシレート)、ホスフェート、アセテート、シトレート、ラクテート、タートレート、メシレート、マレエート、フマレートまたはスクシネートであるもの；
(xiii)  ｐ３８阻害剤：−681323、856553、AMG548(２−[[(２Ｓ)−２−アミノ−３−フェニルプロピル]アミノ]−３−メチル−５−(２−ナフタレニル)−６−(４−ピリジニル)−４(３Ｈ)−ピリミジノン)、Array-797、AZD6703、ドラマピモド(doramapimod)、KC-706、PH 797804、R1503、SC-80036、SCIO469、６−クロロ−５−[[(２Ｓ,５Ｒ)−４−[(４−フルオロフェニル)メチル]−２,５−ジ(do)メチル−１−ピペラジニル]カルボニル]−Ｎ,Ｎ,１−トリメチル−α−オキソ−１Ｈ−インドール−３−アセトアミド、VX702およびＶＸ７４５(５−(２,６−ジクロロフェニル)−２−(フェニルチオ)−６Ｈ−ピリミド[１,６−ｂ]ピリダジン−６−オン)；
(xiv)  ＰＤＥ阻害剤：−256066、アロフィリン(３−(４−クロロフェニル)−３,７−ジヒドロ−１−プロピル−１Ｈ−プリン−２,６−ジオン)、AWD 12-281(Ｎ−(３,５−ジクロロ−４−ピリジニル)−１−[(４−フルオロフェニル)メチル]−５−ヒドロキシ−α−オキソ−１Ｈ−インドール−３−アセトアミド)、BAY19-8004(Bayer)、CDC-801(Calgene)、Celgene化合物((βＲ)−β−(３,４−ジメトキシフェニル)−１,３−ジヒドロ−１−オキソ−２Ｈ−イソインドール−２−プロパンアミド)、シロミラスト(ｃｉｓ−４−シアノ−４−[３−(シクロペンチルオキシ)−４−メトキシフェニル]−シクロヘキサンカルボン酸)、２−(３,５−ジクロロ−４−ピリジニル)−１−(７−メトキシスピロ[１,３−ベンゾジオキソール−２,１’−シクロペンタン]−４−イル)エタノン(CAS number 185406-34-2))、(２−(３,４−ジフルオロフェノキシ)−５−フルオロ−Ｎ−[ｃｉｓ−４−[(２−ヒドロキシ−５−メチルベンゾイル)アミノ]シクロヘキシル]−)−３−ピリジンカルボキサミド)、(２−(３,４−ジフルオロフェノキシ)−５−フルオロ−Ｎ−[ｃｉｓ−４−[[２−ヒドロキシ−５−(ヒドロキシメチル)ベンゾイル]アミノ]シクロヘキシル]−３−ピリジンカルボキサミド)、CT2820、GPD-1116、イブジラスト、IC 485、KF 31334、KW-4490、リリミラスト(Lirimilast)([２−(２,４−ジクロロベンゾイル)−６−[(メチルスルホニル)オキシ]−３−ベンゾフラニル])−ウレア)、(Ｎ−シクロプロピル−１,４−ジヒドロ−４−オキソ−１−[３−(３−ピリジニルエチニル)フェニル]−)−１,８−ナフチリジン−３−カルボキサミド)、(Ｎ−(３,５−ジクロロ−４−ピリジニル)−４−(ジフルオロメトキシ)−８−[(メチルスルホニル)アミノ])−１−ジベンゾフランカルボキサミド)、ONO6126、ORG 20241(４−(３,４−ジメトキシフェニル)−Ｎ−ヒドロキシ−)−２−チアゾールカルボキシミドアミド)、PD189659/PD168787(Parke-Davis)、ペントキシフィリン(３,７−ジヒドロ−３,７−ジメチル−１−(５−オキソヘキシル)−)−１Ｈ−プリン−２,６−ジオン)、化合物(５−フルオロ−Ｎ−[４−[(２−ヒドロキシ−４−メチル−ベンゾイル)アミノ]シクロヘキシル]−２−(チアン−４−イルオキシ)ピリジン−３−カルボキサミド)、ピクラミラスト(３−(シクロペンチルオキシ)−Ｎ−(３,５−ジクロロ−４−ピリジニル)−４−メトキシ−ベンズアミド)、PLX-369(WO2006026754)、ロフルミラスト(３−(シクロプロピルメトキシ)−Ｎ−(３,５−ジクロロ−４−ピリジニル)−４−(ジフルオロメトキシ)ベンズアミド)、SCH 351591(Ｎ−(３,５−ジクロロ−１−オキシド−４−ピリジニル)−８−メトキシ−２−(トリフルオロメチル)−５−キノリンカルボキサミド)、SelCID(TM)CC-10004(Calgene)、T-440(田辺)、テトミラスト(６−[２−(３,４−ジエトキシフェニル)−４−チアゾリル]−２−ピリジンカルボン酸)、トフィミラスト(tofimilast)(９−シクロペンチル−７−エチル−６,９−ジヒドロ−３−(２−チエニル)−５Ｈ−ピラゾロ[３,４−ｃ]−１,２,４−トリアゾロ[４,３−ａ]ピリジン)、TPI 1100、UCB 101333-3(Ｎ,２−ジシクロプロピル−６−(ヘキサヒドロ−１Ｈ−アゼピン−１−イル)−５−メチル−４−ピリミジンアミン)、V-11294A(Napp)、VM554/VM565(Vernalis)、およびザルダベリン(Zardaverine)(６−[４−(ジフルオロメトキシ)−３−メトキシフェニル]−３(２Ｈ)−ピリダジノン)。
(xv)  ＰＤＥ５阻害剤：−ガンマ−グルタミル[ｓ−(２−ヨードベンジル)システイニル]グリシン、タダラフィル、バルデナフィル、シルデナフィル、４−フェニル−メチルアミノ−６−クロロ−２−(１−イミダゾリル)−キナゾリン、４−フェニル−メチルアミノ−６−クロロ−２−(３−ピリジル)−キナゾリン、１,３−ジメチル−６−(２−プロポキシ−５−メタンスルホニルアミドフェニル)−１,５−ジヒドロピラゾロ[３,４−ｄ]ピリミジン−４−オンおよび１−シクロペンチル−３−エチル−６−(３−エトキシ−４−ピリジル)−ピラゾロ[３,４−ｄ]ピリミジン−４−オン；
(xvi)  ＰＰＡＲγアゴニスト：−ピオグリタゾン、塩酸ピオグリタゾン、マレイン酸ロシグリタゾン、マレイン酸ロシグリタゾン((−)−エナンチオマー、遊離塩基)、マレイン酸ロシグリタゾン／塩酸メトホルミンおよびテサグリタザル；
(xvii)  プロテアーゼ阻害剤：−アルファ１−抗トリプシンプロテイナーゼ阻害剤、EPI-HNE4、UT-77、ZD-0892、DPC-333、Sch-709156およびドキシサイクリン；
(xviii)  スタチン：−アトルバスタチン、ロバスタチン、プラバスタチン、ロスバスタチンおよびシンバスタチン
(xix)  トロンボキサンアンタゴニスト：−ラマトロバンおよびセラトロダスト；
(xx)  血管拡張剤：−A-306552、アンブリセンタン、アボセンタン、BMS-248360、BMS-346567、BMS-465149、BMS-509701、ボセンタン、BSF-302146(アンブリセンタン)、カルシトニン遺伝子関連ペプチド、ダグルトリル、ダルセンタン、ファンドセンタンカリウム、ファスジル、イロプロスト、KC-12615(ダグルトリル)、KC-12792 2AB(ダグルトリル)、リポソームトレプロスチニル、PS-433540、シタクスセンタンナトリウム、フェルラ酸ナトリウム、TBC-11241(シタクスセンタン)、TBC-3214(Ｎ−(２−アセチル−４,６−ジメチルフェニル)−３−[[(４−クロロ−３−メチル−５−イソキサゾリル)アミノ]スルホニル]−２−チオフェンカルボキサミド)、TBC-3711、トラピジル、トレプロスチニルジエタノールアミンおよびトレプロスチニルナトリウム；
(xxi)  ＥＮＡＣ：−アミロライド、ベンズアミル、トリアムテレン、552-02、PSA14984、PSA25569、PSA23682およびAER002。
【００２７】
吸入器は２種以上の活性成分の組み合わせ、例えば上記(ｉ)から(xxi)に挙げた特定の活性成分の２種以上の組み合わせを含んでよい。
【００２８】
一つの態様において、吸入器はモメタゾン、臭化イプラトロピウム、チオトロピウムおよびそれらの塩、サルメテロール、プロピオン酸フルチカゾン、二プロピオン酸ベクロメタゾン、レプロテロール、クレンブテロール、ロフレポニドおよび塩、ネドクロミル、クロモグリク酸ナトリウム、フルニソリド、ブデソニド、フォルモテロールフマレート二水和物、テルブタリン、硫酸テルブタリン、サルブタモール塩基および硫酸塩、フェノテロール、３−[２−(４−ヒドロキシ−２−オキソ−３Ｈ−１,３−ベンゾチアゾール−７−イル)エチルアミノ]−Ｎ−[２−[２−(４−メチルフェニル)エトキシ]エチル]プロパン−スルホンアミド、ヒドロクロライド、インダカテロール、臭化アクリジニウム(aclidinium)、Ｎ−[２−(ジエチルアミノ)エチル]−Ｎ−(２−{[２−(４−ヒドロキシ−２−オキソ−２,３−ジヒドロ−１,３−ベンゾチアゾール−７−イル)エチル]アミノ}エチル)−３−[２−(１−ナフチル)エトキシ]プロパンアミドまたはその薬学的に許容される塩(例えば二臭化水素酸塩)；Ｎ−シクロヘキシル−Ｎ３−[２−(３−フルオロフェニル)エチル]−Ｎ−(２−{[２−(４−ヒドロキシ−２−オキソ−２,３−ジヒドロ−１,３−ベンゾチアゾール−７−イル)エチル]アミノ}エチル)−β−アラニンアミドまたはその薬学的に許容される塩(例えばジ−Ｄ−マンデル酸塩)；[２−(４−クロロ−ベンジルオキシ)−エチル]−[２−((Ｒ)−シクロヘキシル−ヒドロキシ−フェニル−メチル)−オキサゾール−５−イルメチル]−ジメチル−アンモニウム塩(例えばヘミ−ナフタレン−１,５−ジスルホン酸塩)；(Ｒ)−１−[２−(４−フルオロ−フェニル)−エチル]−３−((Ｓ)−２−フェニル−２−ピペリジン−１−イル−プロピオニルオキシ)−１−アゾニア−ビシクロ[２.２.２]オクタン塩(例えば臭化物またはトルエンスルホン酸塩)；またはこれらの任意の２種以上の組み合わせを含んでよい。
【００２９】
吸入器に取り込むことができる特定の活性成分の組み合わせは次のものを含む：−
(ａ)  フォルモテロール(例えばフマル酸として)とブデソニド；
(ｂ)  フォルモテロール(例えばフマル酸として)とフルチカゾン；
(ｃ)  Ｎ−[２−(ジエチルアミノ)エチル]−Ｎ−(２−{[２−(４−ヒドロキシ−２−オキソ−２,３−ジヒドロ−１,３−ベンゾチアゾール−７−イル)エチル]アミノ}エチル)−３−[２−(１−ナフチル)エトキシ]プロパンアミドまたはその薬学的に許容される塩(例えば二臭化水素酸塩)と[２−(４−クロロ−ベンジルオキシ)−エチル]−[２−((Ｒ)−シクロヘキシル−ヒドロキシ−フェニル−メチル)−オキサゾール−５−イルメチル]−ジメチル−アンモニウム塩(例えばヘミ−ナフタレン−１,５−ジスルホン酸塩)；
(ｄ)  Ｎ−[２−(ジエチルアミノ)エチル]−Ｎ−(２−{[２−(４−ヒドロキシ−２−オキソ−２,３−ジヒドロ−１,３−ベンゾチアゾール−７−イル)エチル]アミノ}エチル)−３−[２−(１−ナフチル)エトキシ]プロパンアミドまたはその薬学的に許容される塩(例えば二臭化水素酸塩)と(Ｒ)−１−[２−(４−フルオロ−フェニル)−エチル]−３−((Ｓ)−２−フェニル−２−ピペリジン−１−イル−プロピオニルオキシ)−１−アゾニア−ビシクロ[２.２.２]オクタン塩(例えば臭化物またはトルエンスルホン酸塩)；
(ｅ)  Ｎ−シクロヘキシル−Ｎ３−[２−(３−フルオロフェニル)エチル]−Ｎ−(２−{[２−(４−ヒドロキシ−２−オキソ−２,３−ジヒドロ−１,３−ベンゾチアゾール−７−イル)エチル]アミノ}エチル)−β−アラニンアミドまたはその薬学的に許容される塩(例えばジ−Ｄ−マンデル酸塩)と[２−(４−クロロ−ベンジルオキシ)−エチル]−[２−((Ｒ)−シクロヘキシル−ヒドロキシ−フェニル−メチル)−オキサゾール−５−イルメチル]−ジメチル−アンモニウム塩(例えばヘミ−ナフタレン−１,５−ジスルホン酸塩)；
Ｎ−シクロヘキシル−Ｎ３−[２−(３−フルオロフェニル)エチル]−Ｎ−(２−{[２−(４−ヒドロキシ−２−オキソ−２,３−ジヒドロ−１,３−ベンゾチアゾール−７−イル)エチル]アミノ}エチル)−β−アラニンアミドまたはその薬学的に許容される塩(例えばジ−Ｄ−マンデル酸塩)と(Ｒ)−１−[２−(４−フルオロ−フェニル)−エチル]−３−((Ｓ)−２−フェニル−２−ピペリジン−１−イル−プロピオニルオキシ)−１−アゾニア−ビシクロ[２.２.２]オクタン塩(例えば臭化物またはトルエンスルホン酸塩)。
【００３０】
（定義）
平坦（flat）との語は、第１の方向の寸法の最大の広がり（maximum extent）が、第２の方向の寸法および第３の方向の寸法の各々の最大の広がりの４０％未満であり、第１〜第３の方向は互いに垂直である状態を意味するものとする。ただし、第１の方向の寸法の最大の広がりは、第２の方向の寸法および第３の方向の寸法の各々の最大の広がりの３０％未満であるのが好ましく、２５％未満であるのがより好ましい。
【００３１】
前記の定義による平坦な形状を有するものと記載された記載（）との関連において、主面（major surface）との語は、前記の第２および第３の方向の寸法における記載の範囲を定義する２つの一般的な表面のうちの１つを意味するものとする。
【図面の簡単な説明】
【００３２】
【図１】図１は、本発明の少なくとも１つの例示的な実施の形態に係る、開いた形態にある吸入器の上側から見た斜視図である。
【図２】図２は、閉じた形態にある図１に示す吸入器の上側から見た斜視図である。
【図３ａ】図３ａは、開いた形態にある図１に示す吸入器の下側から見た斜視図である。
【図３ｂ】図３ｂは、開いた形態にある図１に示す吸入器の下側から見た斜視図である。
【図４】図４は、外側ケーシング部品を取り外した状態における図１に示す吸入器の下側から見た斜視図である。
【図５】図５は、図１に示す吸入器を分解して示す斜視図である。
【図６】図６は、準備状態にある図１に示す吸入器を構成する複数の部品中の選択された複数の部品の断面図である。
【図７】図７は、放出状態（fired condition）にある図１に示す吸入器を構成する複数の部品中の選択された複数の部品の断面図である。
【図８】図８は、図１に示す吸入器の上側の外側ケーシング部品およびマウスピースを下側から見た斜視図である。
【図９】図９は、図１に示す吸入器の間欠回転機構および空洞ディスクを下側から見た平面図である。
【図１０】図１０は、図１に示す吸入器のアクチュエータおよび間欠回転機構の一部を示す斜視図である。
【図１１】図１１は、図１に示す吸入器のマウスピースの斜視図である。
【図１２】図１２は、下側ハウジング、駆動部材（送受部）およびねじりばねを上側から見た平面図である。
【図１３】図１３は、下部ハウジングおよび分離された下部カバーを備えるとともに、図面の明瞭化のためいくつかの部品が省略された図１に示す吸入器の斜視図である。
【発明を実施するための形態】
【００３３】
添付の図面に示すように、吸入器２は、全体的にはディスク状の形状を有する１回服用分薬剤分配組立体４（a dose dispensing assembly）と、上側ハウジング部６（upper housing portion）と、下側ハウジング部８（lower housing portion）とを備えている。両ハウジング部６、８は、３０％のガラス繊維を含むガラス繊維強化プラスチック（例えば、ポリブチレン・テレフタレート、ＰＢＴ）で形成されている。また、吸入器２は、マウスピース組立体（mouthpiece assembly）も備えている。マウスピース組立体は、熱可塑性加硫エラストマ製のマウスピースシール部材９（mouthpiece seal member）を備えたポリプロピレン（例えば、プレル（Purell） ＨＭ６７１Ｔ）製のマウスピース１０（mouthpiece member）を備えている。マウスピースシール部材９は、マウスピース組立体とハウジング部６、８との間の境界面（interface）をシール（封止）する。また、マウスピースシール部材９は、例えばサントプレン（Santoprene） ８２８１−４５ＭＥＤなどといったエラストマ部材を含んでいてもよい。ハウジング部６、８は、ポリカーボネート（例えば、マクロロン（Makrolon）２４５８）製の上側および下側の外側ケーシング部品１１、１２（outer casing components）を有するケーシング内に、旋回回転可能（pivotally）に取り付けられている。ここで、吸入器２は、開かれた形態と閉じられた形態との間を移行することができる。開かれた形態では、マウスピース組立体は外部に露出され、マウスピース組立体と隣り合う外気入口部７１が開かれる（例えば、図１参照）。閉じられた形態では、マウスピース組立体は、外側ケーシング部品１１、１２（外側カバー部材１１、１２）内に収容され、外気入口部７１は閉じられる（例えば、図２参照）。
【００３４】
１回服用分薬剤分配組立体４は、高密度ポリエチレン（例えば、プレル（Purell） ＧＣ７２６０）製の空洞ディスク１４（cavity disc）を備えている。空洞ディスク１４は、該空洞ディスク１４の１つの主面（major face）に、ディスク周縁部のまわりに均等に離間して形成された複数の空洞部１６（cavity）を有している。１回服用分薬剤分配組立体４のための代替的な材料は、ポリプロピレン（例えば、プレル（Purell） ＨＭ６７１Ｔ）である。空洞部１６は、吸入のための乾燥粉末薬剤（図示せず）を収容するとともに、アルミニウム箔と高分子材料とからなる積層フィルム１８（以下「箔層（foil layer）」という。）によってシール（封止）され、密閉式の薬剤室を形成している。各空洞部１６の上方において、箔層１８の上側に、それぞれ各空洞部１６に関連付けられた（associated）ポリプロピレン製の分離部材２０（separating elements）が取り付けられている。とくに１回服用分薬剤分配組立体４がポリプロピレン（例えば、プレル（Purell） ＨＭ６７１Ｔ）製である場合は、このようにせず、分離部材２０を高密度ポリエチレン（例えば、プレル（Purell） ＧＣ７２６０）で形成してもよい。分離部材２０は、適切な形態の接着（bonding）、溶接（welding）、糊付け（gluing）等により、箔層１８の対応する部分に取り付けられる。分離部材２０の上向きの移動または持ち上げは、箔層１８の取り付け部分（attached part）の空洞部１６からの分離を生じさせる。箔層１８は、各分離部材２０間に放射状切れ目（radial cuts）を有している。
【００３５】
空洞ディスク１４の反対側のもう１つの主面に、薬剤のための空洞部１６に対応する１〜３０の数字が印字された環状の第２の箔層１９（図１３参照）が設けられている。空洞部１６の下方に、空洞ディスク１４のまわりに伸びる空間部（space）が形成されている。この空間部は、分子篩またはシリカゲル等の乾燥剤材料（desiccant material）を収容し、第２の箔層１９は、この空間部内の乾燥剤をシールする。吸入器２の所定の状態においては、第２の箔層１９に印字された数字の１つを、下側ハウジング部８および下側の外側カバー部材１２のところで、窓を通して見ることができる。以下、さらに詳しくこれを説明する。
【００３６】
分離部材２０の上方に、高密度ポリエチレン製の円形の案内構造物２２（guide structure）が設けられている。このようにせず、案内構造物２２を、ポリプロピレン（例えば、プレル（Purell） ＨＭ６７１Ｔ）で形成してもよい。案内構造物２２は、上下方向に伸びる壁部によって分割された複数の案内部２４（guide section）を有し、各案内部２４は、それぞれ対応する各分離部材２０と関連付けられている（associated）。分離部材２０が空洞ディスク１４から持ち上げられたときに、これに関連付けられた案内部２４は、分離部材２０の上向きの移動を案内する（guide）。各案内部２４には、これと一体的に成形（moulding）された板ばね２６（blade spring）が設けられている。板ばね２６は、対応する各分離部材２０の頂部を下向きに付勢している（bear）。分離部材２０が持ち上げられ、開かれた空洞部１６内の薬剤が吸入空気の流れに随伴され（entrained）、分離部材２０が空洞ディスク１４に復帰した後、板ばね２６は、持ち上げられた分離部材２０が空洞ディスク１４と当接して空洞部１６を覆っている状態を維持する。これは、残留している粉末が覆われて使用されている空洞部１６から出ることを困難にし、これにより、残留している粉末が次回の吸入において空気に随伴された場合に生じる１回服用量のばらつきが起こる危険性を低減する。さらに、空洞部１６を出る粉末が残留して吸入器２内の機械部品が動かなくなる（jam）といった危険性を低減し、また分離部材２０がユーザにとって望ましくない「がたつき音（rattling noise）」を生じさせる危険性を低減する。
【００３７】
円形の案内構造物２２を複数の案内部２４に分割する複数の上下に伸びる壁は、横方向流路形成部材（lateral flow path defining elements）として機能する。かくして、吸入空気の流れが空洞ディスク１４の空洞領域（cavity area）に到達してマウスピース１０に導入される際に、吸入空気の流れが脇道へそれるのが防止される。これの代替案は、上下方向に伸びる壁をより短くすることであり、この場合、隣の分離部材２０は、横方向流路形成部材としての機能をもつことができる。
【００３８】
各分離部材２０は、それぞれその基部（base）において空洞部１６と対応する（in register with）空洞部被覆部２８（cavity-covering portion）を有している。さらに、各分離部材２０は、ディスク型組立体の中心に向かって内向きに伸びる中心突出部３０（centrally projecting portion）を有している。吸入器２には、分離部材２０を持ち上げるためのアクチュエータ３２（actuator）を備えた開閉機構（opening mechanism）も設けられている。アクチュエータ３２は、分離部材２０の中心突出部３０を把持するための顎部３４（jaw）が設けられたポリオキシメチレン（ＰＯＭ、例えば、ホスタフォーム（Hostaform）ＭＴ１２Ｕ０１）製の旋回運動可能なレバー（pivotable lever）の形態のものである。アクチュエータ３２は、顎部３４が低い位置にある励起姿勢（energized position）と、顎部３４が持ち上げられて高い位置にある無負荷姿勢（unloaded position）とを有している。アクチュエータ３２は、ディスク型組立体とともに回転するのではなく、マウスピース１０の方向に向く姿勢を維持する。アクチュエータ３２は、水平方向のヒンジ３６（図１０参照）のまわりに旋回運動して、上昇した位置（放出）と下降した位置（励起）との間を移行することができる。
【００３９】
図８に示すように、上側の外側カバー部材１１（外側ケーシング部品）は、それぞれ、その内部表面に設けられた、中心カム４４と、細長い力伝達部材５０と、カム軌道１０９（cam track）とを備えている。以下、これらの部材の機能を説明する。
【００４０】
吸入器２のハウジングは（マウスピース組立体とともに）、マウスピース１０が外側カバー部材内に閉じ込められる閉じられた位置と、該吸入器２を使用するためにマウスピース１０が露出される開かれた位置との間で、外側カバー部材１１、１２に対して旋回運動する（pivot）ように構成されている。中心カム４４は、ハウジング部６、８を外側カバー部材１１、１２に対して回転させることにより吸入器２が閉じられたときには、アクチュエータ３２と係合して該アクチュエータ３２をリセットする（reset）。そして、中心カム４４がアクチュエータ３２の顎部３４（jaw）と当接する際に、アクチュエータ３２はその旋回軸３６のまわりに回転する。顎部３４は、アクチュエータ３２の準備位置（primed position）または励起位置（energized position）に降下する。顎部３４の降下は、顎部３４を無負荷位置に上昇させるように付勢されたステンレススチール製のコイルばね４６の力に抗して行われる（実際には、顎部は、上昇した位置で全面的に無負荷となる訳ではないが）。コイルばね４６は、下側ハウジング部８から上向きに突出している支柱４８に巻かれており、これは例えば図５、図６および図７に示されている。
【００４１】
力伝達部材５０は、コイルばね４６の下方において前記と同じ支柱４８のまわりに配置されたステンレススチール製のねじりばね５２（torsion spring）の一方の端部１１０と係合している（図６、図７および図１２参照）。ねじりばね５２は、その他方の端部１１１で、ポリオキシメチレン（ＰＯＭ、例えば、ホスタフォーム（Hostaform）ＭＴ１２Ｕ０１）製の駆動部材５４に接続されている。この駆動部材５４は、空洞部１６を、１回につき１増分量だけ回転方向に進ませて、毎回、開かれていない空洞部１６をマウスピース部材１０に位置合わせする。図９および図１２は、駆動部材５４を最もよくあらわしている。
【００４２】
アクチュエータ３２を励起位置に維持するために、歯止め部材５６（latch）が設けられている。歯止め部材５６は、ポリカーボネート（例えば、マクロロン（Makrolon）２４５８）製の支柱５８（prop）の形態の第１部材と、ポリオキシメチレン（ＰＯＭ、例えば、ホスタフォーム（Hostaform）ＭＴ１２Ｕ０１）製のフラップ６０（flap）の形態の第２部材とを備えている。支柱５８は、顎部３４とは反対側のアクチュエータ３２の端部の近傍において、アクチュエータ３２上の第１の水平旋回軸６４のまわりに旋回運動可能な第１端部６２を有している。支柱５８は、フラップ６０の一方の端部で肩部６１の上に支持されるように構成された第２の端部６６を有している。フラップ６０は、第１の水平旋回軸６４を単純に間欠回転させる継手（cross indicating the axis of the pivot）により、図６に示された第２の水平旋回軸６８のまわりに旋回運動可能である。第２旋回軸６８の構造は、図５中に部分的に示されている。図５においては、フラップ６０上の対応する旋回ピンのための支持部材６９（support）の一部が示されている。
【００４３】
フラップ６０は、図４中に示されている下側ハウジング部８に設けられたフラップバルブ孔７０（flap valve aperture）を覆っている。ユーザがマウスピース１０（出口部）を通して薬剤の吸入を行うときに、空気がフラップバルブ孔７０を通って吸入器２に流入することが可能となる。流入する空気はフラップ６０を移動させ、順次、アクチュエータ３２を始動させて空洞部１６を開き、その結果薬剤が空気の流れに随伴させられる。以下、さらに詳しくこれを説明する。
【００４４】
図１、図３ａ、図３ｂおよび図４に示されているように吸入器２が開かれた形態にあるときには、空気は、外側ケーシング部品（外側カバー部材）とマウスピースとの間の外気入口部７１を通って外側ケーシング部に流入することができる。かくして、入口側の空気流路の第１の部分は、外側カバー部材とハウジング部の側壁の領域１１３との間に形成される（図４参照）。
【００４５】
この後、入口側の空気流路の第１の部分から出た空気は、下側カバー部材１２の平坦な内面と下側ハウジング部８の平坦な外表面との間を通って、下側ハウジング部８内に形成されたフラップバルブ孔７０に到達する（図４参照）。入口側の空気流路のこの第２の部分は、流れを妨害しまたは閉塞させるおそれのある補強リブを設ける必要がない下側の外側ケーシング部品１２の内表面の一部分１１２によって部分的に形成されている（図５参照）。入口側の空気流路の第２の部分は、フラップバルブ孔７０につながる下側ハウジング部８のややへこんだ凹領域１１４によって形成されている。図４は、下側ハウジング部８の下側部分を示しており、この下側部分は、フラップバルブ孔７０のほかに、該下側部分に形成された複数の孔部を有している。これらの孔部のうちの１つは、１回分服用量計数窓１１７（dose counter window）である。吸入器２が閉じられた形態にあるときには、空洞ディスク１４の下側の箔層に印字された１回服用量の計数値（dose count number）を、この計数窓を通してみることができる状態となる。閉じられた形態においては、１回服用量の計数窓１１７は、下側ケーシング部１２の二重目的表示窓１１９を伴ったところに位置し、ユーザは１回服用量の計数値をみることができる状態となる。これは、図１３を参照すれば、最もよく理解することができる。図２は、閉じられた形態において下側からみた吸入器２を示しており、この吸入器２では１回服用量の計数値が二重目的表示窓１１９に表示されている。
【００４６】
再び図４および図１３に示すように、下側ハウジング部８の下側には、「使用可能状態」表示窓１１８（ready for use indicator window）が設けられている。この使用可能状態表示窓１１８を通して、駆動部材５４上の表示フラグ部材８９（display flag component）をみることができる。吸入器２が開かれた形態にあるときには、使用可能状態表示窓１１８は二重目的表示窓のところにきて、１回服用量の計数値に代えて表示フラグ部材８９をみることが可能となる。表示フラグ部材８９は、その上に２つの印（indicia）を有している。一方の印は吸入器２が使用可能状態であることを示すものであり、他方の印は現在の薬剤を収容する空洞部１６が空になってしまったことを示すものである。表示フラグ部材８９の位置は、吸入器２の状態に応じて変化し、その結果、窓１１８、１１９を通して適切な印をみることができる。以下、駆動部材５４および表示フラグ部材８９の構成および操作をより詳しく説明するが、「使用可能状態」表示器の状態は、図３ａおよび図３ｂを参照しつつ理解されるものであり、これらの図はそれぞれ吸入器２の「準備（ready）」状態と「放出（fired）」状態とを示している
【００４７】
吸入器２が閉じられた形態にあるときには（図２参照）、マウスピース組立体（９、１０）が外気入口部７１内に受け入れられる一方、該外気入口部７１が閉鎖され、マウスピースおよび入口空気流路の塵粒子による汚染が防止される。
【００４８】
再び図４に示すように、１回服用量計数窓１１７および使用可能状態表示窓１１８に加えて、複数の孔部１１６が設けられている。これらのさらなる孔部１１６は、射出成型工程を行った結果として形成されたものであり、吸入器２の種々の部品を下側ハウジング部８と一体的に成形するために必要である。透明な膜１１５が、下側ハウジング部８から分離された状態で示されている。組み立てられた状態にある吸入器２においては、透明な膜１１５は、下側ハウジング部８の下側の表面に接着剤で固定され、これにより窓１１７、１１８とともに成形により形成された孔部１１６をシールし、空気流路からの空気漏れを防止するのを助勢する。空気流路からの空気漏れを可及的に低減することは重要である。なぜなら、空気漏れは、吸入器２が正しい機能を発揮する値よりも小さい値で使用されたときには、吸入器２の主たる空気通路における空気の流れを低減するからである。また、空気漏れは、空気の流れの予測を不可能にする可能性がある。
【００４９】
膜１１５が透明であるので、１回服用量の計数値および使用可能状態表示をそれぞれの窓１１７、１１８を通してみることが可能である。膜１１５として、ハウジングに組み付けるのが簡単な高分子材料製の粘着フィルム（self adhesive film）を用いることも可能である。膜全体を透明な接着剤で被覆してもよく、またこのようにせず膜の窓１１７、１１８に対応する部分は接着剤で被覆しないままにしてもよい。
【００５０】
図６は、吸入器２の選択された部位における詳細な断面を模式的に示す図であり、励起位置に係止されたアクチュエータ３２を備えた、準備状態にある吸入器２を示している。アクチュエータ３２の顎部３４は、コイルばね４６の力に抗して降下させられている。顎部３４が降下させられた後、１回服用分薬剤分配組立体４は回転させられ、開かれていない次の空洞部１６を、マウスピース部材１０と位置が合う部位に移動させる。このとき、顎部３４は、開かれていない空洞部１６と関連付けられている分離部材２０の中心突出部３０を取り囲んでいる。支柱５８の第２の端部６６は、フラップ６０の肩部６１によって支持されている。このとき、支柱５８とフラップ６０とを備えた歯止め５６（latch）はその第１の位置にあり、アクチュエータ３２は励起位置に係止される。支柱５８は、コイルばね４６の影響の下で、アクチュエータ３２によって図６に示されている位置に付勢される。支柱５８の第２の端部６６とフラップ６０の肩部６１との間の境界点または当接点は、支柱５８によって肩部６１にかけられる力の作用線（line of action）が、第２の水平旋回軸（フラップ旋回軸）に対して、フラップ６０の孔部７０を覆っている部分と同じ側に位置するように、配置される。このようにして、フラップ６０は、図６に示されているような降下した位置に保持される。フラップ６０がこの位置に留まっている限り、支柱５８が移動するのが阻止され、アクチュエータ３２が励起位置に係止された状態が維持される。
【００５１】
１回服用量の薬剤を使用するために、ユーザは吸気して、フラップ６０と交差する方向の十分な圧力低下を生じさせ、フラップ６０を付勢力に抗して上昇させる。図７はこの状態を示している。フラップ６０が上昇させられて第２の旋回軸６８のまわりに旋回するのに伴って（図７では時計回り方向）、フラップ６０の肩部６１は、図６および図７中の位置関係において右向きに移動する。その結果、アクチュエータ３２のばね（コイルばね４６）の影響の下で支柱５８を肩部６１から回転させて離脱させ、支柱５８は、その上端部に達するまで、旋回軸６４のまわりを旋回運動する。
【００５２】
この旋回運動時の重要な時期（critical part）においては、支柱５８は呼吸型のフラップ６０により付勢力に抗して移動させられている。他方、支柱５８と肩部６１との間の当接は、回転しつつ当接するものである。すなわち、支柱５８と呼吸型のフラップ６０とは、中心超え機構（over-centre mechanism）としての挙動を示す。これは、この中心超え機構の動作を開始させるのに必要な力を増加させ、さらに重要なことにはこの力を予測することを不可能にする摩擦を可及的に低減することになる。この回転移動の段階（phase）では、支柱５８によりフラップ６０の肩部６１にかけられる力の作用線は、フラップ６０の旋回軸の左側から、フラップ６０の旋回軸の右側まで移動する。一旦このような運動が起こった後は、フラップ６０はもはや支柱５８によって閉じ位置に付勢されることはなく、コイルばね４６の影響の下で支柱５８によってかけられる力の助勢でもってフラップ６０の旋回運動が継続される。
【００５３】
肩部６１の形状は、フラップ６０が所定の角度に達したときに、コイルばね４６の影響の下で支柱５８が肩部６１から完全に押し出される（pushed completely off）ように設定される。この運動の最終段階では、滑り摩擦が作用するが、この運動は全面的にコイルばね４６によって駆動され、呼吸型のフラップ６０の移動とは独立したものである。ここで、コイルばね４６は、支柱５８と肩部６１との間のすべての摩擦に容易に打ち勝つように構成されている。
【００５４】
ここで、歯止め５６はその第２の位置にあり、この場合アクチュエータ３２は、コイルばね４６の影響の下でその無負荷位置に自由に移動することができる。アクチュエータ３２はその旋回軸３６のまわりに回転し、顎部３４は上昇させられる。これにより、顎部３４と係合する部位にある係合した分離部材２０は、空洞ディスク１４から持ち上げられる。箔層１８の、開かれた空洞部１６に関連付けられている部分は、分離部材２０に取り付けられた状態を維持する。図５および図７は、アクチュエータ３２の顎部３４によって上昇させられた上昇位置にある１つの分離部材２０ａを示している。吸入に際して、空気は、開かれた空洞部１６の頂部を横切って流れて空洞部内に循環流れを生じさせ、この循環流は空洞部１６内の薬剤粉末（図示せず）の凝集を解消し、この粉末を、マウスピース１０を通って吸入器２を出る空気の流れに随伴させる。空洞部を空にする過程の詳細は、本願の同時係属出願であり参照により本願明細書に組み入れられている国際特許出願ＰＣＴ／ＳＥ２００８／０５１４８８号（国際公開第２００９／０８２３４１号）および米国特許出願第６１／２２２２０９号（国際公開第２０１１／００２４０６号が優先権主張している）に開示されている。
【００５５】
１回服用量の薬剤が分配された後、図７に示された非係止位置にある支柱５８でもって、フラップ６０は降下位置に自由に復帰することができる。しかしながら、ユーザが次回の１回服用のために吸入器２を準備するまでは、アクチュエータ３２は無負荷位置に留まる（図７参照）。
【００５６】
使用後に吸入器２を閉じると、上側および下側の外側ケーシング部品１１、１２（外側カバー部材）が該装置の残部（rest of the devide）に対して回転し、図２に示す形態となる。この場合、上側の外側ケーシング部品１１上の中心カム機構４４（central cam featrure）は、アクチュエータ３２と係合してこれを降下させ（図８参照）、コイルばね４６を励起する（energise）。図５に最もよく示されているように、中心カム４４は、上側ハウジング部６内の孔部４５を経由してアクチュエータ３２に接近して係合する。閉じられた状態においては、アクチュエータ３２は、中心カム４４によって保持され、薬剤を収容する空洞部１６が開かれる可能性はなく、吸入器２は閉じられた形態にある。
【００５７】
フラップ６０は、その上面に、上側ケーシング部品１２に従属する力伝達部材５０（図８参照）と係合する突起部またはフラップカム６２（図９参照）を有している。これらの機構の相互係合（interengagement）は、呼吸型のフラップ６０を降下した位置に保持する。吸入器２が開かれる際に、力伝達部材５０とフラップカム６２（flap cam）とは、フラップ６０が解放される地点である完全に開かれた形態に到達し、またはほぼ到達するまで、係合された状態を維持する。この構造は、吸入器２が部分的にのみ開かれているときに、フラップ６０が吸入によって屈折し、これにより吸入器内の１つまたは複数のその他の部品が正しく機能しなくなる状態となることを抑制するために設けられている。
【００５８】
吸入器２が閉じられる際に、間欠回転機構は、空洞ディスク１４を回転移動させ、マウスピース１０およびアクチュエータ３２と隣り合う開かれていない空洞部１６を位置決めする。
【００５９】
間欠回転機構は、ねじりばね５２およびマウスピース１０に加えて、駆動部材または間欠回転機５４（indexer）を備えている。この間欠回転機５４は、一体化された爪部材８５（integral pawl）と、追加の爪部材８６（additional pawl）と、表示フラグ部材８９と、間欠回転機連結部材（indexer link）として知られている引っ張りアーム９０（pulling arm）とを備えている。
【００６０】
図９は、空洞ディスク１４および間欠回転機構を下側からみた図である。図１０は、追加の爪部材８６と表示フラグ部材８９と間欠回転機連結部材９０とアクチュエータ３２と支柱５８とに加えて、間欠回転機または駆動部材５４を詳細に示している。駆動部材５４は、ポリオキシメチレン（ＰＯＭ、例えば、ホスタフォーム（Hostaform）ＭＴ１２Ｕ０１）製の単一の成型品であり、一体化された爪部材８５（integral pawl）と、支柱防止アーム（prop preventer arm）または支柱防止留め金８４と、表示フラグ部材８９と、取り付け孔８８とを備えている。駆動部材５４は、その取り付け８８を経由して、下側ハウジング８上の中心支柱４８に取り付けられている（ハウジングおよび支柱は図９中には示されていないが、例えば図５中に示されている）。追加の爪部材８６は、スナップ式の旋回運動連結機構により間欠回転機５４に取り付けられた別体の成形品（例えば、ＰＯＭ成型品）である。一体化された爪部材８５および追加の爪部材８６は、いずれも空洞ディスク１４の内周縁の複数の歯８２と係合しまたは歯間部と係合している。間欠回転連結部材９０も、スナップ式の旋回運動連結機構により間欠回転機５４に取り付けられたポリプロピレン製の別体成型品（またはＰＯＭ成型品）である。間欠回転連結部材は穴部９１を有し、アクチュエータ３２の下側で杭部材３３（peg）が穴部９１内に突出している（図１０参照）。以下、間欠回転機構の機能ををより詳しく説明する。
【００６１】
マウスピース組立体は、マウスピース１０とエラストマシール部材とを備えている。マウスピース１０は、、ポリプロピレン（例えば、プレル（Purell） ＨＭ６７１Ｔ）製の単一の成型品であり、主部（main part）と、該主部から伸びるアーム１０２の端部に位置する旋回運動リング１００とを備えている（図１１参照）。マウスピース組立体は、旋回運動リング１００を通り抜ける下側ハウジング部８上の栓１０１（spigot）に旋回運動可能に取り付けられている（図５参照）。マウスピース組立体の主部は、図１１中に最もよく示されているが、その各側部に、吸入通路１０３（inhalation channel）と２次的なバイパス通路１０４（secondary bypass channels）とを備えている。２次的なバイパス通路１０４は、その一部はマウスピース１０によって形成され、他の一部はシール部材９によって形成されている。
【００６２】
吸入器２の外側ハウジング部６、８と対向する側では、板ばね１０６（leaf spring）が、上側の縁部および下側の縁部の各々から傾斜しつつ突出している。各板ばね１０６の遠位端に、カム従動子１０５（cam follower peg）が設けられている。カム従動子１０５および板ばね１０６は、マウスピース部材と一体成形されている。カム従動子１０５および板ばね１０６は、各外側カバー部材／外側ケーシング部品１１、１２の内側のカム軌道１０９内で係合している。下側ケーシング部品１２のカム軌道１０９は図５に示される一方、上側ケーシング部品１１のカム軌道１０９は図８中に示されている。
【００６３】
マウスピース１０の吸入通路１０３の下から吸入器２のハウジング部６、８に向かって突出する間隔部材（spacing member）または位置決め杭部材１０７（locating peg）が設けられている。空洞ディスク１４の外側の周縁部に切り込み１０８（notch）が設けられ、位置決め杭部材１０７はこの切り込み１０８内に突出することができる。かくして、マウスピース１０は、空洞ディスク１４のブレーキ（brake）として機能し、間欠回転を順次に実施する際において不適切なときに空洞ディスク１４の間欠回転が起こるのを防止する。
【００６４】
吸入器２を開閉するときに、カム従動子１０５および板ばね１０６は軌道１０９に沿って移動する。ここで、軌道１０９は、空洞ディスク１４に向かいまたは離反する方向へのマウスピース１０の移動を制御し、ひいては空洞ディスク１４の切り込み１０８に対する位置決め杭部材１０７の係合および係合の解除を制御する。図８においては、マウスピース１０および上側ケーシング部品１１は、吸入器２が開かれているときの状態を示している。ここで、板ばね１０６およびカム従動子１０５は、カム軌道１０９の領域１０９ａ内に位置し、この領域は、マウスピース部材を空洞ディスク１４が制動されるような態様でハウジングおよび空洞ディスク（図示せず）に向かって移動させる。図８中には、カム軌道１０９の他方の端部に配置された領域１０９ｂが示されている。領域１０９ｂにおいては、カム軌道１０９はディスク型組立体からさらに離間するとともに、広い部分１０９ｃ（widened portion）と狭い終端領域１０９ｄ（narrower terminal region）とを備えている。ばねおよび従動子１０６、１０５が軌道のこの領域内に移動した場合において、吸入器２を閉じるときの最後の段階では、ばねおよび従動子は広い部分１０９ｃに入る。この部分１０９ｃは、カム／ばねを、空洞ディスク１４に対して半径方向外向きに導き、この後最終的には板ばね１０６の近位端は、カム軌道１０９の狭い終端部分１０９内で係合する。これにより、マウスピース１０は空洞ディスク１４から離反する方向に移動し、この後ハウジングは空洞ディスク１４を間欠回転から解放する位置に確実に保持する。以下、これをさらに詳細に説明する。
【００６５】
板ばね１０６が弾性（resilience）を有するということは、間隔部材または位置決め杭部材１０７が制動位置にあるときに、弾性により空洞ディスク１４に抗する状態となることを意味する。これは、空洞ディスク１４の取り付けにおける許容誤差（tolerance）が吸収される（taken up）ことを可能にする。空洞ディスク１４（より正確には、ディスクではなく「つば（annulus）」と称されるべきであろう）の内側の縁部は、下側ハウジング部８と一体成形されたものである担持フランジ４９（bearing flange）の上に位置している（図５参照）。制動がかかった（brake is engaged）ときには、空洞ディスク１４の内側の縁部は、マウスピース１０の領域で担持フランジ４９に対して付勢される。
【００６６】
この状態においては、空洞ディスク１４とマウスピース組立体との間に正確に形成された間隔１１０が存在し、薬剤の吸入に際しては、空気がこの間隔１１０を通って、２次的バイパス通路１０４に流れる。空気はまた、吸入通路１０３の入口部とディスク組立体の縁部との間のより小さい間隔１１１を通って流れる。これらの間隔は、図９中に最もよく示されている。これらの間隔の寸法は、流動形態（flow pattern）および流動抵抗が可能なかぎり良好な形態となるように、可能な限り良好に設定することが望ましい。これは、間隔部材１０７の空洞ディスク１４との係合を付勢することにより実現される。
【００６７】
狭い間隔１１１は、吸入通路の入口部のまわりに環状のバイパス通路を形成し、これにより、空洞ディスク１４の空洞部１６から流入する粒子を搬送している空気の主たる流れのまわりに、空気の「鞘状の流れ（sheath flow）」を生成する。バイパスする空気は、該空気に随伴される粉末の粒子を含んでいないので、薬剤の粒子と吸入通路の壁部との間に障壁（barrier）を形成して、壁部への薬剤の粒子の堆積を抑制することができる。
【００６８】
上側および下側のハウジング部６、８の壁部は、それぞれ、ハウジング部が組み立てられて空気が該ハウジング部を通ってマウスピース１０内に流入するときに、協働して孔部を形成する切り取り部５ａ、５ｂ（cutaways）を有している。マウスピース１０のシール部材９は、この孔部のまわりのハウジングの壁部をシールする。上側ハウジング部６の切り取り部５ａの各側部にそれぞれ邪魔板７（baffle）が設けられている。これらの邪魔板７の機能は、マウスピース１０の吸入通路１０３と整列している空洞部１６の各側部において、空洞部１６の前を横切って伸びることである。これは、使用されている空洞部１６からの浮遊粉末（stray powder）が、２次的なバイパス通路１０４を通ってバイパスの流れに随伴されるのを防止することを助勢する。バイパス通路に流入する空気は、下側ハウジング部８の切り取り部５ｂを経由して、邪魔板７の下からそのようにするであろう。
【００６９】
１回服用量の薬剤が分配された後、ユーザは吸入器２を閉じる。ハウジング部６、８に対する外側カバー部材または外側ケーシング部品１１、１２の相対的な回転により、中心カム４４は、アクチュエータ３２を動作させてその励起位置に移動させる。かくして、アクチュエータ３２の顎部３４は、図７に示されているような上昇した無負荷位置から、図６に示すような降下した励起位置まで移動させられる。
【００７０】
カム４４がアクチュエータ３２を励起位置に移動させるのと実質的に同時に、上側の外側ケーシング部品１２の上の突出している第２の力伝達部材５０は、間欠回転機構を動作させて、次の空洞部１６をマウスピース１０と一列に並ぶように進ませる。より詳しく説明すれば、上側ハウジング部（図５参照）の孔部４５を通り抜けている突出部材５０（図８参照）は、ねじりばね５２と係合してこれを励起する。図１２は、下側ハウジング部８の中心支柱４８に取り付けられたねじりばね５２を示している。図１２では、ねじりばね５２は、安息状態にある（at rest）。ねじりばね５２の第１の端部１１０は、力伝達部材５０によって、（図１２中に示す位置関係で）時計回り方向に移動させられる。ねじりばね５２の第２の端部１１１は、駆動部材５４と係合している。かくして、励起されたねじりばね５２は、これに接続された駆動部材５４を動作させて、支柱４８により与えられた中心軸のまわりに回転して、空洞ディスク１４と係合し、これにより中空ディスク１４を回転させて、次の空洞部１６をマウスピース１０と一列に並ぶように移動させる。しかしながら、ねじりばね５２を経由して突起部材５０によって与えられる駆動部材５４上の力は、少なくともアクチュエータ３２がその励起位置に到達するまでは、前記のマウスピース制動機構により、された一時的に反対方向に作用させられる（counteracted）。これにより、吸入器が閉じられる直前までは（板ばね１０６およびカム従動子１０５が、カム軌道内の領域１０９ｂに到達したとき）、ディスクの間欠回転は阻止される。この構造は、アクチュエータが下降する前に、該機構が間欠回転するのを阻止する（この場合、アクチュエータは間欠回転を阻止するであろう）。また、これにより、カバーが部分的に閉じられた後に開かれる場合において、部分的な間欠回転が起こる可能性もなくなる。
【００７１】
図９に示すように、ブレーキが解放される前に、駆動部材５４の爪部材８５は、ディスク１４内の複数の歯８２のうちの１つの歯と係合する。支柱阻止器８４は阻止位置にあり、支柱５８と係合し、これがフラップの肩部６１上に位置するのを阻止する。かくして、吸入器２のこの状態においては、アクチュエータ３２は、励起位置に係止された状態になることはできない。これは、同一の空洞部１６が再度動作する（refiring）危険性を低減する。
【００７２】
ブレーキが解放される際に、駆動部材５４は、ねじりばね５２の影響の下で移動し、１つの空洞部の分だけディスク１４を回転させる。前に説明した追加の爪部材８６は、駆動部材５４がディスク１４を過剰に回転させるのを阻止し、吸入器２が１回に１つの空洞部１６のみを間欠回転させることを確実にする。
【００７３】
支柱５８の上端部に、上側ハウジング部６の内面に取り付けられたスチール製の支柱ばね７７と係合する位置保持突起部７２（position-keeping projection）が設けられている（図５中に最もよく示されている）。支柱ばね７７は、フラップ６０の肩部６１に対して横向きに（latyerally）支柱５８を付勢する（bias）。駆動部材５４が空洞ディスク１４を回転させる際に、支柱阻止器８４は、阻止位置から除去され、これにより支柱５８がフラップ部材の肩部６１によって支持された状態となるとともに励起されたアクチュエータ３２を係止することが可能となる。かくして、吸入器２が準備される。
【００７４】
前記のとおり、ユーザが吸入器を開いてマウスピース１０を介して吸入を行っているときに、フラップ６０は上昇させられ、その結果支柱５８はフラップ６０の肩部６１から離脱し、これによりアクチュエータ３１の係止を解除する。アクチュエータ３２は、コイルばね４６の影響の下で上昇させられ、その結果アクチュエータ３２の顎部３４は、マウスピース１０と一列に並んでいる空洞部１６から、分離部材２０と箔層１８の一部とを除去する。例えば、図９に示されているように、可動引っ張りアームまたは間欠回転器リンク９０は、駆動部材５４をアクチュエータ３２に接続する。アクチュエータ３２と顎部３４とが、準備状態から放出状態に上昇させられる際に、引っ張りアーム／間欠回転器９０は、横向きに移動させられ、爪部材８５がディスク上の１つのラチェット歯８２（ratchet tooth）を超えて逆戻りする（slip back）ように、駆動部材５４を、支柱４８の上で丸くなるよう変化させる（shift）。その結果、支柱阻止器８４（prop preventer catch）は、移動させられてその阻止位置に戻され、これにより支柱５８がフラップ６０の肩部６１と係合するのが阻止される。この後でユーザが吸入器を閉じたときに、吸入器２は、前記の手順（sequence）を経て、再び準備状態となる。
【００７５】
ユーザが何らかの理由で、吸入器２を完全に閉じなかった場合、ばね１０６と、カム軌道１０９内を移動しているカム従動子１０５とは、その解除位置に到達せず（カム軌道１０９の領域１０９ｂ）、その結果マウスピースブレーキ１０は解放されない。これは、間欠回転が起こらないということを意味する。さらに、アクチュエータ３２はその励起位置にあるものの、係止された状態とはならない。なぜなら、前記のとおり、係止は回転回転と結合されたときにのみ起こるからである。（間欠回転器（駆動部材５４）が動き回るまで、間欠回転器と一体的な部分である支柱阻止器８４は係止を阻止する。）かくして、ユーザが、吸入器２を完全に閉じなかった後に、再び吸入器２を開いた場合、アクチュエータ３２は、単純に移動してその無負荷位置に復帰する。
【００７６】
表１に、吸入器を開閉する際の操作の手順を示す。
【００７７】
【表１】
2013532505.tif 000003
2013532505.tif 000004
2013532505.tif 000005
【００７８】
本願においては、「上側（upper）」、「下側（lower）」、「上方（above）」「下方（below）」との語句は、吸入器が周囲の環境に対してどのような方向を向いているのかにかかわりなく、吸入器の内部における各部材間の内部的な位置関係を示するために用いられているということに注目すべきである。この用語によれば、例えば、図面中に示された典型的な実施の形態においては、吸入器２の全体がユーザによってどのように保持されまたは回転させられているのかにかかわりなく、空洞部１６は薄片層１８の「下方」に配置されていることになり、分離部材２０は薄片層１８の上方に配置されていることになる。同様に、「水平方向（horizontal）」との語句は、薄片層１８の広がり面（plane）または薄片層１８の広がり面と平行な平面の広がる方向を意味し、「上下方向（vertical）」との語句は、このような面と垂直な方向を意味する。したがって、上下方向に伸びる線（vertical line）は、空洞部１６、薄片層１８および分離部材２０と交差することになる。
【符号の説明】
【００７９】
２  吸入器、４  １回服用量薬剤分配組立体、６  上側ハウジング部、８  下側ハウジング部、９  シール部材、１０  マウスピース部材、１１  上側の外側ケーシング部品（外側カバー部材）、１２  下側の外側ケーシング部品（外側カバー部材）、１４  空洞ディスク、１６  空洞部、１８  箔層、１９  第２の箔層、２０  分離部材、２２  案内構造物、２４  案内部、２６  板ばね、３０  突出部、３２  アクチュエータ、３４  顎部、３６  旋回軸、４４  カム、４６  コイルばね、４８  支柱、５０  力伝達部材、７１  外気入口。
【図１】
2013532505.tif 000006
【図２】
2013532505.tif 000007
【図３ａ】
2013532505.tif 000008
【図３ｂ】
2013532505.tif 000009
【図４】
2013532505.tif 000010
【図５】
2013532505.tif 000011
【図６】
2013532505.tif 000012
【図７】
2013532505.tif 000013
【図８】
2013532505.tif 000014
【図９】
2013532505.tif 000015
【図１０】
2013532505.tif 000016
【図１１】
2013532505.tif 000017
【図１２】
2013532505.tif 000018
【図１３】
2013532505.tif 000019
【国際調査報告】
2013532505.tif 000020
2013532505.tif 000021